(57)【要約】  発光源の数を増やすことなく多彩な照明パターンを得ることができる照明装置を提供することを目的とする。本発明に係る照明装置は、夫々が拡散光を広い面積において発する発光領域を有しその発光色及び輝度が可変である複数の広面発光部、及び夫々が指向性を有するビーム光を発し且つこのビーム光の光軸方向が可変である複数の狭面発光部と、複数の広面発光部及び狭面発光部をこれらが互いに並置されるように保持するフレームと、広面発光部各々の発光色及び輝度を個別に制御する制御部と、を含む。
2013047789.tif 000002
【特許請求の範囲】
【請求項１】
夫々が拡散光を広い面積において発する発光領域を有し且つ前記拡散光の発光色及び輝度が可変である複数の広面発光部と、
夫々が指向性を有するビーム光を前記拡散光よりも狭い面積において発し且つ前記ビーム光の光軸方向が可変である複数の狭面発光部と、
前記複数の広面発光部及び前記複数の狭面発光部をこれらが互いに並置されるように保持するフレームと、
前記広面発光部各々の発光色及び輝度を個別に制御する制御部と、を含むことを特徴とする照明装置。
【請求項２】
前記狭面発光部の各々は、前記複数の広面発光部による発光中心に関して非対称な位置に夫々配置されていることを特徴とする請求項１記載の照明装置。
【請求項３】
前記狭面発光部の各々は、前記発光中心を挟んで非対称な位置に夫々配置されていることを特徴とする請求項２記載の照明装置。
【請求項４】
前記複数の広面発光部及び前記複数の狭面発光部は同一の直線上に沿って並置されていることを特徴とする請求項１〜３のいずれか１に記載の照明装置。
【請求項５】
前記広面発光部各々の前記発光領域は、赤色に発光する赤色発光領域、緑色に発光する緑色発光領域及び青色に発光する青色発光領域を含み、
前記制御部は、前記赤色発光領域、前記緑色発光領域及び前記青色発光領域各々での輝度を個別に制御することにより前記発光色の変更を行うことを特徴とする請求項１〜４のいずれか１に記載の照明装置。
【請求項６】
前記制御部は、前記狭面発光部を回動する回動角を制御することにより前記ビーム光の光軸方向を変更することを特徴とする請求項１〜５のいずれか１に記載の照明装置。
【発明の詳細な説明】
【技術分野】
【０００１】
本発明は、複数の発光部を備えた照明装置に関する。
【背景技術】
【０００２】
照明装置のエネルギー効率を改善すべく、白熱球や蛍光灯に代わる光源の研究開発が進められている。最近では高輝度ＬＥＤ(発光ダイオード)などが候補のひとつとして有力視されており、実際に応用製品が商品化されている。ＬＥＤ照明は、省エネルギー化の要請の高まりに伴って一般家庭にも普及しつつある。【０００３】
また、このようなＬＥＤ照明を利用した照明装置として、様々なシーンに合わせて適切な照明環境を作り出すことができるダイニング用ＬＥＤ照明ユニットが提案されている（例えば、特許文献１参照）。このダイニング用ＬＥＤ照明ユニットは、夫々色温度の異なる２つのＬＥＤライン照明と、これらＬＥＤライン照明群の一端側及び他端側に夫々配置されている複数のＬＥＤスポット照明と、を備えている（例えば、特許文献１の図１参照）。かかるダイニング用ＬＥＤ照明ユニットでは、ＬＥＤスポット照明による照射角が可変となっており、その照射角を調整することにより、ダイニングテーブル上の料理の陰影を際立たせることが可能となっている（例えば、特許文献１の段落００２９の記載参照）。また、このダイニング用ＬＥＤ照明ユニットでは、料理の種類によってＬＥＤスポット照明を消灯させる、或いは、夫々色温度の異なる２つのＬＥＤライン照明の内の一方を消灯させることにより、その料理に対応した各種の照明効果が得られるようになっている。【０００４】
ところで、上述した如きダイニング用ＬＥＤ照明ユニットでは、ＬＥＤライン照明及びＬＥＤスポット照明の消灯及び点灯状態の組み合わせ方によって表現できる照明パターンの数は、装備するＬＥＤライン照明及びＬＥＤスポット照明の数に依存する。【０００５】
よって、料理の種類、及び実際の料理の表面状態に対応させた多種に亘る照明パターンを得る為には、搭載するＬＥＤライン照明の数を増加しなければならなかった。
【先行技術文献】
【特許文献】
【０００６】
【特許文献１】特開２０１１−１０８４９５号公報
【発明の開示】
【発明が解決しようとする課題】
【０００７】
本発明はかかる点に鑑みてなされたものであり、発光源の数を増やすことなく多彩な照明パターンを得ることができる照明装置を提供することを目的とする。
【課題を解決するための手段】
【０００８】
本発明に係る照明装置は、夫々が拡散光を広い面積において発する発光領域を有し且つ前記拡散光の発光色及び輝度が可変である複数の広面発光部と、夫々が指向性を有するビーム光を前記拡散光よりも狭い面積において発し且つ前記ビーム光の光軸方向が可変である複数の狭面発光部と、前記複数の広面発光部及び前記複数の狭面発光部をこれらが互いに並置されるように保持するフレームと、前記広面発光部各々の発光色及び輝度を個別に制御する制御部と、を含む。
【図面の簡単な説明】
【０００９】
【図１】本発明に係る照明装置の構成を示すブロック図である。
【図２】照明装置の発光ユニット１０を光放出面側から眺めた斜視図である。
【図３】発光ユニット１０を光放出面側から眺めた正面図、及びこの正面図におけるＷ−Ｗ線に沿った断面図である。
【図４】広面発光部１３としての有機ＥＬ素子の構造を示す平面図、及びこの平面図における３ｂ−３ｂ線に沿った断面図である。
【図５】発光ユニット１０の他の実施例を示す側面図及び光放出面側から眺めた正面図である。
【図６】図５に示す発光ユニット１０の変形例を示す側面図及び光放出面側から眺めた正面図である。
【発明を実施するための形態】
【００１０】
本発明に係る照明装置は、夫々が拡散光を広い面積において発する発光領域（１０７Ｒ、１０７Ｇ、１０７Ｂ）を有しその発光色及び輝度が可変である複数の広面発光部（１３）、及び、夫々が指向性を有するビーム光を発し且つこのビーム光の光軸方向が可変である複数の狭面発光部（１４）と、複数の広面発光部及び狭面発光部をこれらが互いに並置されるように保持するフレーム（１１）と、広面発光部各々の発光色及び輝度を個別に制御する制御部（２０）と、を含むものである。
【実施例】
【００１１】
以下、本発明の実施例について図面を参照しつつ説明する
図１は、本発明に係る照明装置の構成を示すブロック図である。【００１２】
図１に示すように、本照明装置は、複数の発光部（後述する）を有する発光ユニット１０と、上記発光部各々の輝度、発光色、照射角を制御する制御部２０と、を含む。【００１３】
図２は、発光ユニット１０を光放出面側から眺めた斜視図である。また、図３（ａ）は、かかる発光ユニット１０を光放出面側から眺めた正面図であり、図３（ｂ）は、図３（ａ）におけるＷ−Ｗ線に沿った断面図である。【００１４】
図２に示すように、発光ユニット１０は、フレーム１１と、複数の広面発光部１３と、２つの狭面発光部１４と、フレーム１１を天井から吊り下げる為の吊り下げ部材１５とを有している。フレーム１１は、例えば、金属、プラスチック、ガラス、木材などからなり、複数の広面発光部１３及び複数の狭面発光部１４を、これらが同一直線上に沿って一列に並置されるように保持する長方形の板状部材である。フレーム１１は、点発光部１４を夫々貫通させた状態で設置するための２つの貫通孔１２を有する。尚、フレーム１１の材質や形状は、上記したものに限定されるものではない。【００１５】
広面発光部１３の各々は、拡散光、すなわち散乱光を広い面積において発する発光領域（後述する）を有し、且つその輝度及び発光色が可変である有機ＥＬ発光素子等の平面状の発光体により構成される。これら広面発光部１３の各々は、フレーム１１における光放出面側の表面上に、フレーム１１の長手方向に沿って配列されている。尚、図２、図３（ａ）及び図３（ｂ）に示す実施例では、６個の広面発光部１３を一列でフレーム１１の長手方向に沿って配置しているが、広面発光部１３を配列する列数、各広面発光部１３の形状及び数量は、特に限定されるものではなく、適宜変更することが可能である。すなわち、フレーム１１の表面上に、少なくとも２つの広面発光部１３が配置されていれば良いのである。【００１６】
図４（ａ）は、広面発光部１３としての有機ＥＬ素子の構造を示す平面図であり、図４（ｂ）は、図４（ａ）における３ｂ−３ｂ線に沿った断面図である。【００１７】
基板１００は、光透過性を有するガラスや樹脂等からなる平板又はフィルム状部材である。複数の陽極１０２は、それぞれ帯状をなしており、基板１００上においてＹ方向に沿って伸長し、互いに一定間隔おいて並置されている。陽極１０２の各々は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）等の金属酸化物導電体、或いはＣｒ、Ｍｏ、Ｎｉ、Ｐｔ、Ａｕ等の金属、又はこれらの合金等からなる。陽極１０２の各々の表面には、陽極１０２に電源電圧を供給する為のバスライン１０４が形成されている。基板１００及び陽極１０２上には絶縁膜１０３が形成されている。絶縁膜１０３の表面には、夫々がＹ方向に伸張する開口部がストライプ状に形成されている。尚、開口部の各々は、陽極１０２各々の表面を露出させるべく絶縁膜１０３を貫通して形成されたものであり、各陽極１０２に対応した位置に夫々設けられている。尚、絶縁膜１０３の表面に複数の開口部を設けることにより、互いに隣接する開口部各々の間には、図４（ｂ）に示すように、絶縁膜１０３によるバンクが形成されることになる。各陽極１０２上において絶縁膜１０３に覆われた部分には、図４（ｂ）に示すように、陽極１０２に電源電圧を供給する為のバスライン１０４が形成されている。絶縁膜１０３の各開口部には、陽極１０２の表面を覆うように正孔注入層１０５が形成されており、かかる正孔注入層１０５の表面を覆うように正孔輸送層１０６が積層されている。正孔注入層１０５及び正孔輸送層１０６の材料としては、芳香族アミン誘導体、フタロシアニン誘導体、ポルフィリン誘導体、オリゴチオフェン誘導体、ポリチオフェン誘導体、ベンジルフェニル誘導体、フルオレン基で３級アミンを連結した化合物、ヒドラゾン誘導体、シラザン誘導体、シラナミン誘導体、ホスファミン誘導体、キナクリドン誘導体、ポリアニリン誘導体、ポリピロール誘導体、ポリフェニレンビニレン誘導体、ポリチエニレンビニレン誘導体、ポリキノリン誘導体、ポリキノキサリン誘導体、カーボン等が挙げられる。また、かかる正孔輸送層１０６の表面上には夫々がＹ方向に伸長する有機発光層１０７が図４（ａ）及び図４（ｂ）に示すように形成されている。尚、有機発光層１０７は、蛍光性有機金属化合物等で成膜されたものであり、実際には、図４（ａ）及び図４（ｂ）に示すように、赤色発光を行う有機発光層１０７Ｒ、緑色発光を行う有機発光層１０７Ｇ、及び青色発光を行う有機発光層１０７Ｂの如き３系統分の有機発光層１０７が、各正孔輸送層１０６上に形成されている。よって、赤色発光を行う有機発光層１０７Ｒが形成されている領域は赤色発光領域となり、緑色発光を行う有機発光層１０７Ｇが形成されている領域は緑色発光領域となり、青色発光を行う有機発光層１０７Ｂが形成されている領域は青色発光領域となる。これら有機発光層１０７Ｒ、１０７Ｇ及び１０７Ｂの表面、並びに絶縁膜１０３の表面を覆うように電子輸送層１０８が形成されており、この電子輸送層１０８の表面を覆うように板状の陰極１０９が形成されている。尚、陰極１０９は、仕事関数の低い、例えば、Ａｌなどの金属またはその化合物、あるいはそれらを含む合金等からなる。【００１���】
上記した構成により、広面発光部１３では、陰極１０９及び陽極１０２間に印加された電圧に応じた輝度でその陽極１０２に対応した位置、つまり陽極１０２の真上に形成されている有機発光層１０７が発光する。例えば、陰極１０９を接地電位に固定した状態で、有機発光層１０７Ｒに対応した位置に形成されている陽極１０２に電圧を印加すると、この印加電圧に応じた輝度で有機発光層１０７Ｒが赤色に発光する。また、有機発光層１０７Ｇに対応した位置に形成されている陽極１０２に電圧を印加すると、この印加電圧に応じた輝度で有機発光層１０７Ｇが緑色に発光する。また、有機発光層１０７Ｂに対応した位置に形成されている陽極１０２に第３電圧を印加すると、この印加電圧に応じた輝度で有機発光層１０７Ｂが青色に発光する。この際、広面発光部１３の光放出面からは、上記した如き赤、緑、青の光を混合した単一色の照明光が放出される。例えば、赤、緑、青の各色毎に２５６階調分の輝度を割り当てると、広面発光部１３の各々は、照明光の発光色として、１６，７７７，２１６色、いわゆるフルカラーを表現することが可能となる。広面発光部１３の各々は、制御部２０から供給された照明制御電圧に応じた輝度及び色を有する照明光を生成する。【００１９】
狭面発光部１４は、指向性を有する光、つまり上記した拡散光よりも狭い面積範囲内を照射するビーム光、すなわちスポット光を発生する照明素子である。狭面発光部１４は、金属やプラスチックなどの遮光性部材からなる円筒筐体１４ａと、円筒筐体１４ａの内部に収容された複数のＬＥＤ素子（発光ダイオード）１４ｂとにより構成される。円筒筐体１４ａは、図３（ａ）及び（ｂ）に示すように、フレーム１１の貫通孔１２を貫通した状態で支持軸１４ｃを介してフレーム１１に支持されている。円筒筐体１４ａは、支持軸１４ｃを回転中心としてフレーム１１に対して回動自在となっており、図３（ｃ）に示す如きＬＥＤ素子１４ｂから発せられるビーム光の光軸ＣＣの方向、つまり照射方向（照射角度）が可変となっている。照射方向（照射角度）の変更は、作業者による手作業、或いは図３（ｂ）に示す如くフレーム１１に設置されている駆動部１６によって実施される。駆動部１６は、ＬＥＤ素子１４ｂから発せられるビーム光の光軸ＣＣの方向を変更させるべく、円筒筐体１４ａを、支持軸１４ｃを回転中心として回動する。尚、ＬＥＤ素子１４ｂの輝度は、制御部２０から供給された照明制御電圧に応じて調整される。【００２０】
２つの狭面発光部１４は、図３（ａ）及び図３（ｂ）に示すように、広面発光部１３の配列方向に沿って設けられている。狭面発光部１４の１つはフレーム１１の端部（すなわち広面発光部１３よりも外側）に設けられ、狭面発光部１４の他の１つはフレーム１１の他端部よりもやや中央寄りの位置において２つの広面発光部１３の間に設けられている。すなわち、図３（ｂ）に示す如き複数の広面発光部１３による発光中心ＣＬに対して、２つの狭面発光部１４の内の一方は距離Ｓ１だけ離間した位置に設置されており、他方は距離Ｓ２（Ｓ１≠Ｓ２）だけ離間した位置に設置されている。尚、ここで、発光中心ＣＬとは、フレーム１１の表面上での広面発光部１３各々の発光中心同士を結ぶ線分によって形成される図形の重心の位置とする。【００２１】
要するに、２つの狭面発光部１４は、複数の広面発光部１３による発光中心ＣＬを挟んで非対象な位置に夫々配置されているのである。【００２２】
図１に示す制御部２０は、照明パターン指定信号に基づき、広面発光部１３の各々毎に、その広面発光部１３の発光輝度及び発光色を個別に制御する。【００２３】
また、制御部２０は、照明パターン指定信号に基づき、狭面発光部１４の各々毎に、その狭面発光部１４の発光輝度及び光軸方向を個別に制御する。すなわち、制御部２０は、照明パターン指定信号によって指定された輝度で狭面発光部１４を発光させるべき照明制御電圧を生成して狭面発光部１４に供給する。また、制御部２０は、照明パターン指定信号によって指定された照射角でビーム光を照射させるべく、その照射角に対応した回動角の分だけ狭面発光部１４（円筒筐体１４ａ）を回動させるべき駆動電圧を生成しこれを駆動部１６に供給する。つまり、制御部２０は、駆動部１６による狭面発光部１４に対する回動角を制御することにより、狭面発光部１４から照射されるビーム光の光軸方向を変更するのである。【００２４】
更に、制御部２０は、照明パターン指定信号に基づき、広面発光部１３の各々毎に、その広面発光部１３の輝度及び発光色を個別に制御する。すなわち、制御部２０は、照明パターン指定信号によって指定された発光色の照明光を発生させるべく、広面発光部１３の有機発光層１０７Ｒを挟む電極（１０２、１０９）間、有機発光層１０７Ｇを挟む電極間、有機発光層１０７Ｂを挟む電極間に、夫々個別に電圧を印加する。要するに、制御部２０は、赤色発光領域（１０７Ｒ）、緑色発光領域（１０７Ｇ）及び青色発光領域（１０７Ｂ）各々での輝度を個別に制御することにより、広面発光部１３が発する照明光の発光色を変更するのである。【００２５】
このような制御部２０の動作により、広面発光部１３の各々は、照明パターン指定信号によって指定された輝度及び発光色（例えば１６，７７７，２１６色色の内の１の色）の照明光を下方に向けて照射する。一方、狭面発光部１４は、照明パターン指定信号によって指定された輝度を有するビーム光を、この照明パターン指定信号によって指定された照射角にて下方に向けて照射する。【００２６】
尚、照明パターン指定信号とは、時刻、照射対象物、照明設置環境に応じて自動生成されるもの、或いはリモートコントロール装置（図示せぬ）から無線送出されるものである。例えば、リモートコントロール装置は、上記した如き照明パターン（輝度、発光色、照射角）を示す情報を入力する為の操作面を備え、その操作面で入力された照明パターンを示す照明パターン指定信号を制御部２０に向けて無線送信する。【００２７】
上記した如き照明装置をダイニングライトとして使用する場合、ダイニングテーブル上方の天井から吊り下げ部材１５によって発光ユニット１０を吊り下げる。この際、使用者は、ダイニングテーブル上に置かれた料理（飲料を含む）のジャンル（洋食、和食、中華等）、料理の食材（肉、魚、野菜等）、料理の色合、食器の形態を考慮して、例えば、上記したリモートコントロール装置にて所望の照明パターン（輝度、発光色、照射角）を指定する。これに応じて、発光ユニット１０に形成されている広面発光部１３の各々は、指定された照明パターンに対応した発光色及び輝度を有する照明光をダイニングテーブル上に置かれた料理に照射する。この際、広面発光部１３は、赤、緑、青色の夫々独立した発光領域（１０７Ｒ、１０７Ｇ、１０７Ｂ）を備えることによりフルカラー発光（１６，７７７，２１６色）が可能である。【００２８】
よって、このような広面発光部１３を備えた上記照明装置によれば、互いに色温度が異なる複数の光源を択一的に点灯させることにより発光色の色調を変更するものに比して、設置する光源の数を大幅に減らすことが可能となる。また、広面発光部１３は緑色系の発光を行うことが可能なので、色温度の変更が可能な照明器具に比して、表現可能な照明パターンを大幅に増加することができる。【００２９】
また、発光ユニット１０に形成されている狭面発光部１４の各々は、指定された照射角でビーム光をダイニングテーブル上に置かれた料理及び食器に照射する。これにより、ダイニングテーブル上に、各料理（食器を含む）毎に複数の陰影を形成させることができ、食感を増加させることが可能となる。この際、図３（ｂ）に示すように、発光ユニット１０では、狭面発光部１４の各々を、広面発光部１３による全発光領域の発光中心ＣＬに対して、互いに非対象な位置に配置するようにしている。これにより、ダイニングテーブル上において各料理毎に形成される複数の陰影の形態を夫々異ならせることができる。よって、狭面発光部１４の各々を発光中心ＣＬに対して対象な位置に配置した場合に比して、視覚上における照明パターンのバリエーションを増やすことが可能となる。【００３０】
尚、上記した照明装置においては、発光ユニット１０のフレーム１１の形態として、図２に示す如き長方形のものを採用しているが、かかる形態に限定されるものではない。【００３１】
図５（ａ）は、発光ユニット１０の他の形態を示す側面図であり、図５（ｂ）は、図５（ａ）に示される発光ユニット１０を光放出面側から眺めた正面図である。【００３２】
図５（ａ）及び図５（ｂ）に示される発光ユニット１０は、吊り下げ部材１５によって天井から吊り下げられる円錐形状のフレーム１１の底面に、複数の広面発光部１３及び狭面発光部１４が設けられたものである。尚、狭面発光部１４の各々は、フレーム１１の底面に設けられた貫通孔１２を貫通する形態で取り付けられている。この際、狭面発光部１４の各々は、広面発光部１３による全発光領域の発光中心ＣＬに対して互いに非対象な位置に配置されている。【００３３】
図６（ａ）は、図５（ａ）に示される発光ユニット１０の変形例を示す断面図であり、図６（ｂ）は、図６（ａ）に示される発光ユニット１０を光放出面側から眺めた正面図である。尚、図６（ａ）は、図６（ｂ）におけるＶ−Ｖ線に沿った断面図である。【００３４】
図６（ａ）及び図６（ｂ）に示す発光ユニット１０のフレーム１１は円錐ドーム形状を有し、その内面側に複数の広面発光部１３が貼り付けられている。この際、図６（ｂ）に示すように、フレーム１１の内面側の裾領域には、夫々長方形の広面発光部１３の各々が同心円上に配置されている。また、フレーム１１の内面側の中央領域には、その面に沿った円錐形状を有する広面発光部１３が貼り付けられている。更に、フレーム１１の中心位置には、狭面発光部１４が設けられている。【００３５】
尚、上記実施例では、フレーム１１の表面上に１又は２つの狭面発光部１４を配置しているが、フレーム１１の表面上に設ける狭面発光部１４の数はこれに限定されない。つまり、２つ以上の複数の狭面発光部１４をフレーム１１の表面上に設けるようにしても良いのである。
【符号の説明】
【００３６】
１０  発光ユニット
１１  フレーム
１３  広面発光部
１４  狭面発光部
２０  制御部
【図１】
2013047789.tif 000003
【図２】
2013047789.tif 000004
【図３】
2013047789.tif 000005
【図４】
2013047789.tif 000006
【図５】
2013047789.tif 000007
【図６】
2013047789.tif 000008
【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
夫々が拡散光を広い面積において発する発光領域を有し且つ前記拡散光の発光色及び輝度が可変である複数の広面発光部と、
夫々が指向性を有するビーム光を前記拡散光よりも狭い面積において発し且つ前記ビーム光の光軸方向が可変である複数の狭面発光部と、
前記複数の広面発光部及び前記複数の狭面発光部をこれらが互いに並置されるように保持するフレームと、
前記広面発光部各々の発光色及び輝度を個別に制御する制御部と、を含み、
前記狭面発光部の各々は、前記複数の広面発光部による発光中心に対して非対称な位置に夫々配置されていることを特徴とする照明装置。
【請求項２】
前記狭面発光部の各々は、前記発光中心を挟んで非対称な位置に夫々配置されていることを特徴とする請求項１記載の照明装置。
【請求項３】
前記複数の広面発光部及び前記複数の狭面発光部は同一の直線上に沿って並置されていることを特徴とす
る請求項１又は２記載の照明装置。
【請求項４】
前記広面発光部各々の前記発光領域は、赤色に発光する赤色発光領域、緑色に発光する緑色発光領域及び青色に発光する青色発光領域を含み、
前記制御部は、前記赤色発光領域、前記緑色発光領域及び前記青色発光領域各々での輝度を個別に制御することにより前記発光色の変更を行うことを特徴とする請求項１〜３のいずれか１に記載の照明装置。
【請求項５】
前記制御部は、前記狭面発光部を回動する回動角を制御することにより前記ビーム光の光軸方向を変更することを特徴とする請求項１〜４のいずれか１に記載の照明装置。
【手続補正２】
【補正対象書類名】明細書
【補正対象項目名】０００８
【補正方法】変更
【補正の内容】
【０００８】
本発明に係る照明装置は、夫々が拡散光を広い面積において発する発光領域を有し且つ前記拡散光の発光色及び輝度が可変である複数の広面発光部と、夫々が指向性を有するビーム光を前記拡散光よりも狭い面積において発し且つ前記ビーム光の光軸方向が可変である複数の狭面発光部と、前記複数の広面発光部及び前記複数の狭面発光部をこれらが互いに並置されるように保持するフレームと、前記広面発光部各々の発光色及び輝度を個別に制御する制御部と、を含み、前記狭面発光部の各々は、前記複数の広面発光部による発光中心に対して非対称な位置に夫々配置されている。
【国際調査報告】
2013047789.tif 000009
2013047789.tif 000010
2013047789.tif 000011
2013047789.tif 000012